【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
通信手段を介して接続された記録再生装置に対して、第１のデータ・ストリーム・ファイル及び前記第１のデータ・ストリーム・ファイルを管理する第１の管理情報ファイルを転送する制御手段を有する情報処理装置と、
第２のデータ・ストリーム・ファイル及び前記第２のデータ・ストリーム・ファイルを管理する第２の管理情報ファイルが所定のディレクトリ構造により記録される第１の記録手段と、前記情報処理装置から転送された前記第１のデータ・ストリーム・ファイル及び前記第１の管理情報ファイルが前記所定のディレクトリ構造により記録される第２の記録手段を有する記録再生装置を備え、
前記情報処理装置の制御手段は、
前記第１のデータ・ストリーム・ファイル及び前記第１の管理情報ファイルを前記第２の記録手段に記録制御した後に、
前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なう、
ことを特徴とするデータ処理システム。
【請求項２】
前記所定のディレクトリ構造は、データ・ストリーム・ファイル格納用フォルダと、管理情報ファイル格納用フォルダを備え、
前記情報処理装置の制御手段は、前記第２の記録手段内のデータ・ストリーム・ファイル格納用フォルダに前記第１のデータ・ストリーム・ファイルを転送するとともに、前記データ・ストリーム・ファイル格納用フォルダ内の前記第１のデータ・ストリーム・ファイルを用いて前記第１の管理情報ファイルを作成して前記第２の記録手段内の管理情報ファイル格納用フォルダに格納し、
前記第２の記録手段内のデータ・ストリーム・ファイル格納用フォルダ内のデータ・ストリーム・ファイルと前記第２の記録手段内の管理情報ファイル格納用フォルダ内の管理情報ファイルを前記第１の記憶手段内のそれぞれ該当するフォルダ内にそれぞれ移動させた後に、前記第２の記録手段の記録内容を削除する、
ことを特徴とする請求項１に記載のデータ処理システム。
【請求項３】
前記所定のディレクトリ構造は、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納し、
前記情報処理装置の制御手段は、転送対象となる各動画像ストリーム・ファイルを前記第２の記録手段内のストリーム格納用フォルダに転送し、前記第２の記録手段内のストリーム格納用フォルダ内の各動画像ストリーム・ファイルを分離及び再統合して得られるパラメータに基づいて属性情報ファイルを生成して前記第２の記録手段内の属性情報ファイル格納用フォルダに保存し、該生成した属性情報ファイルに対する再生リスト・ファイルを生成して前記第２の記録手段内の再生リスト格納用フォルダに保存し、前記第２の記録手段内に管理情報ファイルを生成してから、前記第２の記録手段内の動画像ストリーム・ファイル、属性情報ファイル、再生リスト・ファイルを前記第１の記録手段内の該当する各フォルダに移動し、前記第２の記録手段内の管理情報ファイルに対して再生リスト・ファイルを追加するための編集を行なう、
ことを特徴とする請求項２に記載のデータ処理システム。
【請求項４】
前記情報処理装置の制御手段は、前記追記又は更新制御の前に、前記第１の管理情報ファイルに含まれる所定のファイルを前記第１の記録手段に設けられたバックアップ・フォルダに格納する、
ことを特徴とする請求項１に記載のデータ処理システム。
【請求項５】
前記情報処理装置の制御手段は、前記追記処理した後に、前記第１の記録手段に記録された前記第２の管理情報ファイルに含まれるインデックス・ファイル及び動画像オブジェクト・ファイルを更新する、
ことを特徴とする請求項２に記載のデータ処理システム。
【請求項６】
前記情報処理装置の制御手段は、転送対象となる動画像ストリーム・ファイル群を所定のサイズ以下となる１以上のグループに分け、グループ毎に、前記第２の記録手段への動画像ストリーム・ファイルの転送とこれに伴う属性情報ファイル及び再生リスト・ファイルの生成と管理情報ファイルの編集処理を順次行なう、
ことを特徴とする請求項３に記載のデータ処理システム。
【請求項７】
データ・ストリーム・ファイルの処理を行なうデータ処理装置であって、
任意のディレクトリ構造の下で第１のデータ・ストリーム・ファイルを格納する内部記憶手段と、
第２のデータ・ストリーム・ファイル及び前記第２のデータ・ストリーム・ファイルを管理する第２の管理情報ファイルが所定のディレクトリ構造により記録されている記録再生装置を接続する通信手段と、
前記内部記憶手段に格納されている前記第１のデータ・ストリーム・ファイルを、前記通信手段を介して接続されている記録再生装置に転送するファイル転送制御手段を備え、
前記ファイル転送制御手段は、前記第１のデータ・ストリーム・ファイル及び前記第１のデータ・ストリーム・ファイルを管理する第１の管理情報ファイルを前記記録再生装置に記録制御した後に、前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう、
ことを特徴とするデータ処理装置。
【請求項８】
前記所定のディレクトリ構造としてデータ・ストリーム格納用フォルダと管理情報ファイル格納用フォルダを備え、
前記ファイル転送制御手段は、前記記録再生装置内に前記所定のディレクトリ構造と同じ構造からなる一時フォルダを作成して、該一時フォルダ内の前記第１のデータ・ストリーム・ファイルをデータ・ストリーム・ファイル格納用フォルダに転送するとともに、前記記録再生装置内に転送された第１のデータ・ストリーム・ファイルに基づいて前記第１の管理情報ファイルを生成して該一時フォルダ内の管理情報ファイル格納用フォルダに保存する、
ことを特徴とする請求項７に記載のデータ処理装置。
【請求項９】
前記ファイル転送制御手段は、前記記録再生装置内において、該一時フォルダから前記所定のディレクトリ構造の該当フォルダへデータ・ストリーム・ファイル及び管理情報ファイルをそれぞれ移動させた後に、該一時フォルダを削除する、
ことを特徴とする請求項８に記載のデータ処理装置。
【請求項１０】
前記記録再生装置は、前記所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納しており、
前記ファイル転送制御手段は、前記内部記憶手段にある動画像ストリーム・ファイルを前記一時フォルダ下のストリーム格納用フォルダに転送し、前記一時フォルダ下のストリーム格納用フォルダ内の動画像ストリーム・ファイルを分離及び再統合して得られるパラメータに基づいて属性情報ファイルを生成して前記一時フォルダ下の属性情報ファイル格納用フォルダに保存し、該生成した属性情報ファイルに対する再生リスト・ファイルを生成して前記一時フォルダ下の再生リスト格納用フォルダに保存し、前記一時フォルダ下に管理情報ファイルを生成してから、前記一時フォルダ内の動画像ストリーム・ファイル、属性情報ファイル、再生リスト・ファイルを前記所定のディレクトリ構造における該当する各フォルダに移動し、前記所定のディレクトリ構造内の管理情報ファイルに対して再生リスト・ファイルを追加するための編集を行なう、
ことを特徴とする請求項９に記載のデータ処理装置。
【請求項１１】
前記ファイル転送制御手段は、前記追記又は更新制御の前に、前記第１の管理情報ファイルに含まれる所定のファイルを前記記録再生装置に設けられたバックアップ・フォルダに格納する、
ことを特徴とする請求項７に記載のデータ処理装置。
【請求項１２】
前記ファイル転送制御手段は、前記追記処理した後に、前記記録再生装置に記録されている前記第２の管理情報ファイルに含まれるインデックス・ファイル及び動画像オブジェクト・ファイルを更新する、
ことを特徴とする請求項１１に記載のデータ処理装置。
【請求項１３】
前記ファイル転送制御手段は、前記内部記憶手段にある転送対象となる動画像ストリーム・ファイル群を所定のサイズ以下となる１以上のグループに分け、グループ毎に、前記記録再生装置への動画像ストリーム・ファイルの転送とこれに伴う属性情報ファイル、再生リスト・ファイルの生成と管理情報ファイルの編集処理を順次行なう、
ことを特徴とする請求項１０に記載のデータ処理装置。
【請求項１４】
前記ファイル転送制御手段は、前記通信手段に前記記録再生装置が接続されたときに、前記記録再生装置に残されている一時フォルダを削除する、
ことを特徴とする請求項８に記載のデータ処理装置。
【請求項１５】
データ処理装置内の第１のデータ・ストリーム・ファイルを、所定のディレクトリ構造により第２のデータ・ストリーム・ファイル及び前記第２のデータ・ストリーム・ファイルを管理する第２の管理情報ファイルを記録している記録再生装置に転送する情報処理方法であって、
前記第１のデータ・ストリーム・ファイル及び前記第１のデータ・ストリーム・ファイルを管理する第１の管理情報ファイルを前記記録再生装置に記録制御する第１のステップと、
前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう第２のステップと、
を具備することを特徴とする情報処理方法。
【請求項１６】
前記所定のディレクトリ構造としてデータ・ストリーム格納用フォルダと管理情報ファイル格納用フォルダを備え、
前記第１のステップでは、前記記録再生装置内に前記所定のディレクトリ構造と同じ構造からなる一時フォルダを作成して、該一時フォルダ内の前記第１のデータ・ストリーム・ファイルをデータ・ストリーム・ファイル格納用フォルダに転送するとともに、前記記録再生装置内に転送された第１のデータ・ストリーム・ファイルに基づいて前記第１の管理情報ファイルを生成して該一時フォルダ内の管理情報ファイル格納用フォルダに保存する、
ことを特徴とする請求項１５に記載の情報処理方法。
【請求項１７】
前記第２のステップにおいて、該一時フォルダから前記所定のディレクトリ構造の該当フォルダへデータ・ストリーム・ファイル及び管理情報ファイルをそれぞれ移動させた後に、前記記録再生装置から該一時フォルダを削除する、
ことを特徴とする請求項１６に記載の情報処理方法。
【請求項１８】
前記記録再生装置は、前記所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納しており、
前記第１のステップでは、動画像ストリーム・ファイルを前記一時フォルダ下のストリーム格納用フォルダに転送した後、前記一時フォルダ内の動画像ストリーム・ファイルを分離及び再統合して得られるパラメータに基づいて属性情報ファイルを生成して前記一時フォルダ下の属性情報ファイル格納用フォルダに保存するとともに、該生成した属性情報ファイルに対する再生リスト・ファイルを生成して前記一時フォルダ下の再生リスト格納用フォルダに保存し、
前記第２のステップでは、前記一時フォルダ下に管理情報ファイルを生成してから、前記一時フォルダ内の動画像ストリーム・ファイル、属性情報ファイル、再生リスト・ファイルを前記所定のディレクトリ構造における該当する各フォルダに移動し、前記所定のディレクトリ構造内の管理情報ファイルに対して再生リスト・ファイルを追加するための編集を行なう、
ことを特徴とする請求項１６に記載のデータ処理装置。
【請求項１９】
前記第２のステップでは、前記追記又は更新制御の前に、前記第１の管理情報ファイルに含まれる所定のファイルを前記記録再生装置に設けられたバックアップ・フォルダに格納する、
ことを特徴とする請求項１５に記載の情報処理方法。
【請求項２０】
前記第２のステップでは、前記追記処理した後に、前記記録再生装置に記録されている前記第２の管理情報ファイルに含まれるインデックス・ファイル及び動画像オブジェクト・ファイルを更新する、
ことを特徴とする請求項１９に記載の情報処理方法。
【請求項２１】
転送対象となる動画像ストリーム・ファイル群を所定のサイズ以下となる１以上のグループに分け、グループ毎に、前記第１乃至第２のステップを順次実行する、
ことを特徴とする請求項１８に記載の情報処理方法。
【請求項２２】
前記記録再生装置が接続されたときに、前記記録再生装置に残されている一時フォルダを削除するステップをさらに備える、
ことを特徴とする請求項１６に記載の情報処理方法。
【請求項２３】
請求項８に記載のデータ処理装置の前記通信手段に接続可能な記録再生装置であって、
前記通信手段から取り外された状態において、前記記録再生装置内に一時フォルダが残されているかどうかを検出する手段と、
前記記録再生装置内に残されている一時フォルダを削除する手段と、
を具備することを特徴とする記録再生装置。
【請求項２４】
データの記録再生を行なう記録再生装置であって、
第１のデータ・ストリーム・ファイルを転送する情報処理装置を接続する通信手段と、
第２のデータ・ストリーム・ファイル及び前記第２のデータ・ストリーム・ファイルを管理する第２の管理情報ファイルが所定のディレクトリ構造により記録される第１の記録手段と、
前記情報処理装置から転送された前記第１のデータ・ストリーム・ファイル及び前記第１の管理情報ファイルが前記所定のディレクトリ構造により記録される第２の記録手段と、
前記第１のデータ・ストリーム・ファイル及び前記第１の管理情報ファイルを前記第２の記録手段に記録制御する記録制御手段と、
前記第２の記録手段に記録させた前記第１のデータ・ストリーム・ファイル及び前記第１の管理情報ファイルに基づいて、前記第１の記録手段に記録された対応する前記第２のデータ・ストリーム・ファイル及び前記第２の管理情報ファイルに対して追記又は更新制御を行なう追記・更新制御手段と、
を具備することを特徴とする記録再生装置。
【請求項２５】
前記所定のディレクトリ構造は、データ・ストリーム・ファイル格納用フォルダと、管理情報ファイル格納用フォルダを備え、
前記記録制御手段は、前記第２の記録手段内のデータ・ストリーム・ファイル格納用フォルダに前記第１のデータ・ストリーム・ファイルを転送するとともに、前記データ・ストリーム・ファイル格納用フォルダ内の前記第１のデータ・ストリーム・ファイルを用いて前記第１の管理情報ファイルを作成して前記第２の記録手段内の管理情報ファイル格納用フォルダに格納し、
前記追記・更新制御手段は、前記第２の記録手段内のデータ・ストリーム・ファイル格納用フォルダ内のデータ・ストリーム・ファイルと前記第２の記録手段内の管理情報ファイル格納用フォルダ内の管理情報ファイルを前記第１の記憶手段内のそれぞれ該当するフォルダ内にそれぞれ移動させた後に、前記第２の記録手段の記録内容を削除する、
ことを特徴とする請求項２４に記載の記録再生装置。
【請求項２６】
前記所定のディレクトリ構造は、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納し、
前記記録制御手段は、転送対象となる各動画像ストリーム・ファイルを前記第２の記録手段内のストリーム格納用フォルダに転送し、前記第２の記録手段内のストリーム格納用フォルダ内の各動画像ストリーム・ファイルを分離及び再統合して得られるパラメータに基づいて属性情報ファイルを生成して前記第２の記録手段内の属性情報ファイル格納用フォルダに保存し、該生成した属性情報ファイルに対する再生リスト・ファイルを生成して前記第２の記録手段内の再生リスト格納用フォルダに保存し、前記第２の記録手段内に管理情報ファイルを生成し、
前記追記・更新制御手段は、前記第２の記録手段内の動画像ストリーム・ファイル、属性情報ファイル、再生リスト・ファイルを前記第１の記録手段内の該当する各フォルダに移動し、前記第２の記録手段内の管理情報ファイルに対して再生リスト・ファイルを追加するための編集を行なう、
ことを特徴とする請求項２５に記載の記録再生装置。
【請求項２７】
前記追記・更新制御手段は、前記追記又は更新制御の前に、前記第１の管理情報ファイルに含まれる所定のファイルを前記第１の記録手段に設けられたバックアップ・フォルダに格納する、
ことを特徴とする請求項２４に記載の記録再生装置。
【請求項２８】
前記追記・更新制御手段は、前記追記処理した後に、前記第１の記録手段に記録された前記第２の管理情報ファイルに含まれるインデックス・ファイル及び動画像オブジェクト・ファイルを更新する、
ことを特徴とする請求項２７に記載の記録再生装置。
【請求項２９】
前記記録制御手段は、転送対象となる動画像ストリーム・ファイル群を所定のサイズ以下となる１以上のグループに分け、グループ毎に、前記第２の記録手段への動画像ストリーム・ファイルの転送とこれに伴う属性情報ファイル及び再生リスト・ファイルの生成と管理情報ファイルの編集処理を順次行なう、
ことを特徴とする請求項２６に記載の記録再生装置。
【請求項３０】
データ処理装置内の第１のデータ・ストリーム・ファイルを、所定のディレクトリ構造により第２のデータ・ストリーム・ファイル及び前記第２のデータ・ストリーム・ファイルを管理する第２の管理情報ファイルを記録している記録再生装置に転送するためのデータ処理をコンピュータ上で実行するようにコンピュータ可読形式で記述されたコンピュータ・プログラムであって、前記コンピュータに対し、
前記第１のデータ・ストリーム・ファイル及び前記第１のデータ・ストリーム・ファイルを管理する第１の管理情報ファイルを前記記録再生装置に記録制御する第１の手順と、
前記記録再生装置に記録させた前記第１のデータ・ストリーム・ファイル及び前記第１の管理情報ファイルに基づいて、前記記録再生装置に記録されている前記第２のデータ・ストリーム・ファイル及び前記第２の管理情報ファイルに対して追記又は更新制御を行なう第２の手順と、
を実行させることを特徴とするコンピュータ・プログラム。
【手続補正２】
【補正対象書類名】明細書
【補正対象項目名】００３３
【補正方法】変更
【補正の内容】
【００３３】
このようなデータ・ストリーム・ファイルの転送処理において、前記情報処理装置の制御手段は、前記第２の記録手段内のデータ・ストリーム・ファイル格納用フォルダにデータ・ストリーム・ファイルを転送するとともに、該データ・ストリーム・ファイル格納用フォルダ内のデータ・ストリーム・ファイルを用いて管理情報ファイルを作成して前記第２の記録手段内の管理情報ファイル格納用フォルダに格納する。そして、前記第２の記録手段内のデータ・ストリーム・ファイル格納用フォルダ内の第１のデータ・ストリーム・ファイルと前記第２の記録手段内の管理情報ファイル格納用フォルダ内の第１の管理情報ファイルを前記第１の記憶手段内のそれぞれ該当するフォルダ内にそれぞれ移動させた後に、前記第２の記録手段の記録内容を削除する。したがって、一時フォルダとしての第２の記憶手段を書き戻し先となる記録再生装置内のＨＤＤに生成することによって、書き戻し処理時間の短縮化や、情報処理装置としてのパーソナル・コンピュータ上のＨＤＤの空き容量の節約、突発的な通信の切断などの異常終了時の影響の抑止といった効果を得ることができる。
【手続補正３】
【補正対象書類名】明細書
【補正対象項目名】００３５
【補正方法】変更
【補正の内容】
【００３５】
記録再生装置がＡＶＣＨＤのようなビデオカメラ規格に準拠する場合、動画像ストリームを保存するための所定のディレクトリ構造として、動画像ストリームを記録するための所定のフォルダの直下に、各動画像ストリーム・ファイルを格納するストリーム格納用フォルダと、動画像ストリーム・ファイル毎の属性情報ファイルを格納する属性情報ファイル格納用フォルダと、ストリーム格納用フォルダ内の動画像ストリーム・ファイルの再生順序に関連する情報からなる再生リスト・ファイルを格納する再生リスト格納用フォルダと、再生リスト・ファイルに基づく動画像ストリーム・ファイルの再生動作を制御する際に使用する情報を記載した１以上の管理情報ファイルをそれぞれ格納するようになっている。
【手続補正４】
【補正対象書類名】明細書
【補正対象項目名】００４２
【補正方法】変更
【補正の内容】
【００４２】
また、情報処理装置から記録再生装置へデータ・ストリーム・ファイルの転送、すなわち書き戻し処理を行なう最中に両装置間の接続が切断した場合や、その他の障害などにより処理が中断した場合、一時フォルダがデータ記録再生装置の第１の記憶手段内に残されてしまう場合がある。このような一時フォルダは、記憶空間のガーベイジ（ｇａｒｂａｇｅ）に過ぎず、記録再生装置の記録容量の浪費になる。
【手続補正５】
【補正対象書類名】明細書
【補正対象項目名】００６１
【補正方法】変更
【補正の内容】
【００６１】
ネットワーク・インターフェース４９は、ＬＡＮ（Ｌｏａｃｌ  Ａｒｅａ  Ｎｅｔｗｏｒｋ）やインターネットなどの外部ネットワークに接続されており、インターネットを介したデータ通信を制御する。すなわち、プロセッサ４１から送られたデータをインターネット上の他の装置へ転送するとともに、インターネットを介して送られてきたデータを受け取りプロセッサ４１に渡す。例えば、プログラムやデータなどをネットワーク経由で外部から受信することができる。
【手続補正６】
【補正対象書類名】明細書
【補正対象項目名】００６２
【補正方法】変更
【補正の内容】
【００６２】
ＨＤＤコントローラ４７は、ローカル・ディスクとして動作するＨＤＤ４９へのデータの入出力を制御する。ＨＤＤ４８には、プロセッサ４１が実行すべきオペレーティング・システム（ＯＳ）、アプリケーション・プログラム、ドライバ・プログラム、さらにはプログラムによって参照又は再生処理が行なわれるデータやコンテンツなどが格納されている。本実施形態では、各プログラムは、ＨＤＤ４８上に実行可能形式でインストールされる。
【手続補正７】
【補正対象書類名】明細書
【補正対象項目名】００６６
【補正方法】変更
【補正の内容】
【００６６】
中央処理部２６は、ＲＡＭ（Ｒａｎｄｏｍ  Ａｃｃｅｓｓ  Ｍｅｍｏｒｙ）な度で構成される一時記憶媒体２７に実行プログラムをロードするとともにシステム変数や環境変数を一時的に格納しながら、プログラムを実行するという形式で当該デジタルビデオカメラ２全体の処理動作を統括的にコントロールする。ここで言う処理動作としては、カメラ・ブロック２１における動画像撮影やこれに伴うオート・フォーカス機能、自動露光、手振れ補正、オート・シャッターといったカメラ・ワーク、記録部２４におけるＨＤＤ２５への動画像ストリームの記録、並びにＨＤＤ２５上に記録されたストリームの編集処理、ＵＳＢスレーブすなわちマスストレージ・デバイスとしての動作処理（但し、ＵＳＢ接続されている場合）などである。
【手続補正８】
【補正対象書類名】明細書
【補正対象項目名】０１２９
【補正方法】変更
【補正の内容】
【０１２９】
次いで、ユーザが選択した転送対象の画像ストリーム群を、２Ｇバイト以内に収まるように区切って、グループ分けする（ステップＳ５）。但し、本発明の要旨はグループ分けする単位が２Ｇバイトに限定されるものではない。
【手続補正９】
【補正対象書類名】明細書
【補正対象項目名】０１３９
【補正方法】変更
【補正の内容】
【０１３９】
この時点で、一時フォルダＰＣ＿ＡＰＰ下には、処理中のグループについてのＢＤＭＶツリーが完成し、これはＡＶＣＨＤフォーマットに則ってストリーム・データを記録するＢＤＭＶツリー（すなわちＡＶＣＨＤ￥ＢＤＭＶ）と全く同一のフォルダ構造（図７を参照のこと）を持つ。
【手続補正１０】
【補正対象書類名】明細書
【補正対象項目名】０１４０
【補正方法】変更
【補正の内容】
【０１４０】
次いで、転送プログラムは、一時フォルダＰＣ＿ＡＰＰ￥ＢＤＭＶ下の、すべての再生リスト・ファイル（ＰＣ＿ＡＰＰ￥ＢＤＭＶ￥ＰＬＡＹＬＩＳＴフォルダ内の拡張子“．ＭＰＬ”を持つすべてのファイル）、すべてのクリップ情報ファイル（ＰＣ＿ＡＰＰ￥ＢＤＭＶ￥ＣＬＩＰＩＮＦフォルダ内の拡張子“．ＣＰＩ”を持つすべてのファイル）、及び、すべてのクリップＡＶストリーム・ファイル（ＰＣ＿ＡＰＰ￥ＢＤＭＶ￥ＳＴＲＥＡＭフォルダ内の拡張子“．ＭＴＳ”を持つすべてのファイル）を、デジタルビデオカメラ２の本来のＢＤＭＶツリー（すなわちＡＶＣＨＤ￥ＢＤＭＶのそれぞれ対応するサブフォルダ内）に移動する（ステップＳ１４）。このようなＨＤＤ２５内でのファイルの移動はファイル・パスの変更だけで済むので、処理時間は極めて短くて済む。
【手続補正１１】
【補正対象書類名】明細書
【補正対象項目名】０１５２
【補正方法】変更
【補正の内容】
【０１５２】
１…データ処理システム
２…デジタルビデオカメラ
３…ＵＳＢケーブル
４…パーソナル・コンピュータ
２１…カメラ・ブロック
２２…符号化部
２３…ストリーム・バッファ
２４…記録部
２５…ＨＤＤ
２６…中央処理部
２７…一時記憶媒体
２８…ＵＳＢインターフェース
４１…ＣＰＵ
４２…バス
４３…メモリ
４４…ディスプレイ・コントローラ
４５…表示装置
４６…入出力インターフェース、４６Ａ…キーボード、４６Ｂ…マウス
４７…ＨＤＤコントローラ
４８…ＨＤＤ
４９…ネットワーク・インターフェース
５０…ＵＳＢインターフェース
【手続補正１２】
【補正対象書類名】図面
【補正対象項目名】図１４
【補正方法】変更
【補正の内容】
【図１４】
2008022504.tif 000001